(57)【要約】   【課題】  利便性、収益性の高いコンテンツ提供システムを提供する。  【解決手段】  占い、連載漫画、企業広告など、コンテンツ製作者から提供されるこれらのコンテンツは印刷情報としてコンテンツサーバ１０１内のデータベースに蓄積される。弁当製造販売業者は、コンテンツサーバ１０１にアクセスして、弁当の売り上げが伸びそうなコンテンツを選択して、弁当用蓋へのコンテンツの印刷を要請する。これにより、コンテンツはコンテンツサーバ１０１から印刷装置１０３Ａへ転送され、印刷装置１０３Ａによって弁当用蓋に印刷される。弁当食材は、弁当用蓋及びこれと一対の弁当用容器を用いてパッケージングされ、弁当として販売される。【選択図】  図１
2006139711.tif 000002
【特許請求の範囲】
【請求項１】
コンテンツをデータベース内に蓄積し管理するコンテンツサーバと、インターネットを介して前記コンテンツサーバに接続された複数のクライアントと、前記コンテンツサーバに接続され、前記コンテンツを含む媒体を製造する製造システムとを備え、
前記クライアントは、前記コンテンツの製作者が使用する第１のクライアントと、前記媒体の製造販売業者が使用する第２のクライアントとを含み、
前記コンテンツサーバは、
前記第１のクライアントが前記コンテンツをアップロードすることを可能にする機能、
前記第１のクライアントからアップロードされた前記コンテンツを蓄積し管理する機能、
前記第２のクライアントに対して前記データベース内の所望の前記コンテンツを選択させる機能、および、
前記選択された前記コンテンツのデータを前記製造システムへ転送する機能を備え、
前記製造システムは、前記コンテンツサーバから転送された前記コンテンツのデータを受信して前記媒体に保存することを特徴とするコンテンツ提供システム。
【請求項２】
前記コンテンツサーバは、
前記第２のクライアントに対して前記媒体の種類及び数量を選択させる機能と、
前記選択された種類及び数量のデータを前記製造システムへ転送する機能と、をさらに備えていることを特徴とする請求項１に記載のコンテンツ提供システム。
【請求項３】
前記クライアントは、投資家が使用する第３のクライアントをさらに含み、
前記コンテンツサーバは、
前記第３のクライアントが前記データベースに蓄積されているコンテンツを閲覧することを可能にする機能と、
前記第３のクライアントに対して前記データベース内の所望のコンテンツを選択させる機能と、をさらに備えていることを特徴とする請求項１乃至３のいずれか１項に記載のコンテンツ提供システム。
【請求項４】
前記コンテンツサーバは、前記クライアントから送られる情報に基づいてアクセス要求するクライアントが前記第１乃至第３のクライアントのいずれであるかを判別することを特徴とする請求項１乃至４のいずれか１項に記載のコンテンツ提供システム。
【請求項５】
コンテンツをデータベース内に蓄積し管理するコンテンツサーバと、インターネットを介して前記コンテンツサーバに接続された複数のクライアントと、前記コンテンツサーバに接続された弁当用パッケージ製造システムとを備え、
前記クライアントは、前記コンテンツの製作者が使用する第1のクライアントと、弁当製造販売業者が使用する第２のクライアントとを含み、
前記コンテンツサーバは、
前記第１のクライアントがコンテンツをアップロードすることを可能にする機能、
前記第１のクライアントからアップロードされた前記コンテンツを蓄積し管理する機能、
前記第２のクライアントに対して前記データベース内の所望の前記コンテンツを選択させる機能、および、
前記選択された前記コンテンツのデータを前記弁当用パッケージ製造システムへ転送する機能を備え、
前記弁当用パッケージ製造システムは、前記コンテンツサーバから転送された前記コンテンツのデータを受信して弁当用蓋に印刷することを特徴とするコンテンツ提供システム。
【請求項６】
前記コンテンツサーバは、
前記第２のクライアントに対して弁当用パッケージの種類及び数量を選択させる機能と、
前記選択されたパッケージの種類及び数量のデータを前記弁当用パッケージ製造システムへ転送する機能と、をさらに備えていることを特徴とする請求項５に記載のコンテンツ提供システム。
【請求項７】
前記弁当用パッケージ製造システムは、
前記コンテンツサーバから転送された前記コンテンツのデータを受信して弁当用蓋の原紙を印刷する印刷装置と、
前記コンテンツが印刷された前記原紙を加工して弁当用蓋を成型する成型装置と、を備えていることを特徴とする請求項５又は６に記載のコンテンツ提供システム。
【請求項８】
前記原紙は、低密度ポリエチレンの含有量が３〜６％の範囲となるように当該低密度ポリエチレンが少なくとも片面に塗布されたものであることを特徴とする請求項５乃至７のいずれか１項に記載のコンテンツ提供システム。
【請求項９】
前記クライアントは、投資家が使用する第３のクライアントをさらに含み、
前記コンテンツサーバは、
前記第３のクライアントが前記データベースに蓄積されているコンテンツを閲覧することを可能にする機能と、
前記第３のクライアントに対して前記データベース内の所望のコンテンツを選択させる機能と、をさらに備えていることを特徴とする請求項５乃至８のいずれか１項に記載のコンテンツ提供システム。
【請求項１０】
前記コンテンツサーバは、前記クライアントから送られる情報に基づいてアクセス要求するクライアントが前記第１乃至第３のクライアントのいずれであるかを判別することを特徴とする請求項５乃至９のいずれか１項に記載のコンテンツ提供システム。
【請求項１１】
前記コンテンツは、占いであることを特徴とする請求項５乃至１０のいずれか１項に記載のコンテンツ提供システム。
【請求項１２】
前記コンテンツは、漫画であることを特徴とする請求項５乃至１０のいずれか１項に記載のコンテンツ提供システム。
【請求項１３】
前記コンテンツは、広告であることを特徴とする請求項５乃至１０のいずれか１項に記載のコンテンツは提供システム。
【請求項１４】
コンテンツの製作者が使用する第1のクライアントと、弁当製造販売業者が使用する第２のクライアントとを含む複数のクライアントとインターネットを介して接続され、且つ、弁当用パッケージ製造システムに接続されたコンピュータに、
前記第１のクライアントがコンテンツをアップロードすることを可能にする機能、
前記第１のクライアントからアップロードされた前記コンテンツを蓄積し管理する機能、
前記第２のクライアントに対して前記データベース内の所望のコンテンツを選択させる機能、および、
前記選択されたコンテンツのデータを前記弁当用パッケージ製造システムへ転送する機能を実行させるためのコンピュータプログラム。
【発明の詳細な説明】
【技術分野】
【０００１】
本発明は、コンテンツ提供システムに関し、特に、利便性、収益性の高いコンテンツ提供システムに関する。
【背景技術】
【０００２】
近年、弁当販売専門店、コンビニエンスストア、スーパーマーケット、デパートの食品売場などにおける弁当の売り上げは目覚しいものがある。弁当の販売競争は激化しており、低価格、高品質を維持しなければ弁当製造販売業者も生き残れない時代である。一般消費者にとっても、弁当は生活するうえでなくてはならないものとなっている。特に最近は、幕の内弁当、のり弁当などの定番弁当を始め、特定の期間だけ販売される特別弁当、惣菜のみの弁当、麺類、スープなど、多種多様な弁当が提供されており、いろいろ種類ある弁当の中から好みの弁当を選択するという購買行為自体が日常生活の中でひとつの楽しみでもある。
【０００３】
一方、弁当のパッケージについては、環境へ配慮した低コストなものが要請されている。強度面、衛生面からプラスチック製のパッケージが広く利用されているが、ごみ問題、原油価格の高騰などを背景にして、新たなパッケージの普及が望まれている。最近では、弁当の蓋に企業広告のシールを貼り付けることにより、広告収入を確保し、弁当をより低価格に提供しようとする試みもある。
【０００４】
ところで、近年のインターネット、特にブロードバンドの普及に伴い、広告などのコンテンツをインターネット経由で配信したり、提供したりするシステムが広がりつつある。例えば、あるシステムでは、紹介サーバが、インターネット上に分散配置された複数のコンテンツあるいはライセンスを利用者へ紹介し、複数のコンテンツ或いはライセンスの中から所望のものおよび所望の組み合わせを利用者端末群より利用者に選択させ、この選択結果に基づいて、当該コンテンツあるいはライセンスの配信を受けるための情報を利用者端末群へ提供する（特許文献１参照）。このシステムによれば、コンテンツを利用したい利用者の利便性を高め、利用者、企業の双方にメリットを見出させることができる。
【０００５】
またあるシステムでは、商品や広告対象の分類や特徴から広告コンテンツを選別する機能を設け、ユーザが必要とする広告コンテンツをダウンロードできるようにしている（特許文献２参照）。このシステムはまた、登録コンテンツの配信期間ごとのコンテンツ容量や登録コンテンツのダウンロード回数に応じてシステム使用料を算出し、広告主に請求できるようにしている。また、商品や広告対象の分類や特徴ごとに広告コンテンツのダウンロード回数を集計して広告主に提供できるようにしている。
【０００６】
またあるシステムは、インターネットにより配信される広告等のコンテンツデータを受信し、ディスプレイに出力し、広告コンテンツ量に応じて広告主に対してディスプレイ設置者が課金することを特徴としている（特許文献３）。
【０００７】
またコンテンツ制作支援サービスシステムと呼ばれるあるシステムでは、コンテンツ製作者が電子データの形で配布される任意のコンテンツを制作するに際して、広告主から、所要の手数料と一緒にまたは当該手数料の支払い確約と一緒に提供された広告データを受け取り、該広告データを前記コンテンツに挿入して広告データとコンテンツとの一体化データを生成し、該生成した一体化データを記録媒体に収めて配布する。これにより、当初から複製物の作成が行われることを当然のように見込み、その作成行為をコンテンツ製作者等の利益に結びつけることができる（特許文献４参照）。
【特許文献１】特開２００３−０８５３８４号公報
【特許文献２】特開２００４−０２１４４３号公報
【特許文献３】特開２００４−２６４６１４号公報
【特許文献４】特開２００２−３２９０８３号公報
【発明の開示】
【発明が解決しようとする課題】
【０００８】
上述の通り、近年の弁当販売競争の激化から、弁当製造販売業者は弁当の売り上げ増加につながる工夫を切望している。一方、弁当にも環境面を配慮したパッケージの使用が要請されているが、そのようなパッケージはコストが高いことから、熾烈な販売競争の中でそのようなパッケージを採用することは実際には難しいという問題がある。
【０００９】
そこで、本発明は、上述の問題を鑑みてなされたものであり、本発明の目的は、弁当の購入に際して購入者に楽しみを与え、その結果、弁当の売り上げ増加を可能にするとともに、環境面に配慮したパッケージを利用することが可能なコンテンツ提供システムを提供することにある。
【００１０】
本発明の目的はまた、任意のコンピュータをコンテンツ提供システムの中心となるコンテンツサーバとして動作させるためのコンピュータプログラムを提供することにある。
【課題を解決するための手段】
【００１１】
本発明の概要について説明すると、本発明は、弁当を利用した利便性、収益性の高いコンテンツ提供システムである。このシステムでは、占い、連載漫画、企業広告など、コンテンツ製作者から提供されるコンテンツが印刷情報としてコンテンツサーバ内のデータベースに蓄積される。弁当販売専門店及び弁当製造販売業者（以下、纏めて、「弁当製造販売業者」と言うことがある。）は、コンテンツサーバ内のデータベースにアクセスして、弁当の売り上げが伸びそうなコンテンツを選択して、弁当用蓋へのコンテンツの印刷を要請する。これにより、コンテンツのデータはコンテンツサーバから印刷装置へ転送され、印刷装置によって弁当用蓋に直接、或いはシールに一度印刷した後に弁当用蓋に貼り付けるなどして間接的に印刷される。弁当食材は、弁当用蓋及びこれに対応する弁当用容器を用いてパッケージングされ、弁当として提供される。コンテンツサーバはさらに、コンテンツ製作者と弁当製造販売業者との間の仲介を行うのみならず、そのコンテンツに対して投資してくれる個人又は企業もアクセス可能としている。課題を解決する手段についての詳細は以下の通りである。
【００１２】
本発明の上記課題は、コンテンツをデータベース内に蓄積し管理するコンテンツサーバと、インターネットを介して前記コンテンツサーバに接続された複数のクライアントと、前記コンテンツサーバに接続され、前記コンテンツを含む媒体を製造する製造システムとを備え、前記クライアントは、前記コンテンツの製作者が使用する第１のクライアントと、前記媒体の製造販売業者が使用する第２のクライアントとを含み、前記コンテンツサーバは、前記第１のクライアントが前記コンテンツをアップロードすることを可能にする機能、前記第１のクライアントからアップロードされた前記コンテンツを蓄積し管理する機能、前記第２のクライアントに対して前記データベース内の所望の前記コンテンツを選択させる機能、および、前記選択された前記コンテンツのデータを前記製造システムへ転送する機能を備え、前記製造システムは、前記コンテンツサーバから転送された前記コンテンツのデータを受信して前記媒体に保存することを特徴とするコンテンツ提供システムによって解決される。
【００１３】
本発明において、前記コンテンツサーバは、前記第２のクライアントに対して前記媒体の種類及び数量を選択させる機能と、前記選択された種類及び数量のデータを前記製造システムへ転送する機能と、をさらに備えているようにしてもよい。
【００１４】
本発明において、前記クライアントは、投資家が使用する第３のクライアントをさらに含み、前記コンテンツサーバは、前記第３のクライアントが前記データベースに蓄積されているコンテンツを閲覧することを可能にする機能と、前記第３のクライアントに対して前記データベース内の所望のコンテンツを選択させる機能と、をさらに備えているようにしてもよい。
【００１５】
本発明において、前記コンテンツサーバは、前記クライアントから送られる情報に基づいてアクセス要求するクライアントが前記第１乃至第３のクライアントのいずれであるかを判別するようにしてもよい。
【００１６】
本発明の上記課題はまた、コンテンツをデータベース内に蓄積し管理するコンテンツサーバと、インターネットを介して前記コンテンツサーバに接続された複数のクライアントと、前記コンテンツサーバに接続された弁当用パッケージ製造システムとを備え、前記クライアントは、前記コンテンツの製作者が使用する第１のクライアントと、弁当製造販売業者が使用する第２のクライアントとを含み、前記コンテンツサーバは、少なくとも、前記第１のクライアントがＷｅｂブラウザを利用してコンテンツをアップロードすることを可能にする機能、前記第１のクライアントからアップロードされた前記コンテンツを蓄積し管理する機能、前記第２のクライアントに対して前記データベース内の所望のコンテンツを選択させる機能、および、前記選択された前記コンテンツのデータを前記弁当用パッケージ製造システムへ転送する機能を備え、前記弁当用パッケージ製造システムは、前記コンテンツサーバから転送された前記コンテンツのデータを受信して弁当用蓋に印刷することを特徴とするコンテンツ提供システムによって解決される。
【００１７】
本発明において、前記コンテンツサーバは、前記第２のクライアントに対して弁当用パッケージの種類及び数量を選択させる機能と、前記選択されたパッケージの種類及び数量のデータを前記弁当用パッケージ製造システムへ転送する機能と、をさらに備えているようにしてもよい。
【００１８】
本発明において、前記弁当用パッケージ製造システムは、前記コンテンツサーバから転送された前記コンテンツのデータを受信して弁当用蓋の原紙を印刷する印刷装置と、前記コンテンツが印刷された前記原紙を加工して弁当用蓋を成型する成型装置とを備えているようにしてもよい。
【００１９】
本発明において、前記原紙は、低密度ポリエチレンの含有量が３〜６％の範囲となるように当該低密度ポリエチレンが少なくとも片面に塗布されたものであってもよい。
【００２０】
本発明において、前記クライアントは、投資家が使用する第３のクライアントをさらに含み、前記コンテンツサーバは、前記第３のクライアントが前記データベースに蓄積されているコンテンツを閲覧することを可能にする機能と、前記第３のクライアントに対して前記データベース内の所望のコンテンツを選択させる機能とをさらに備えているようにしてもよい。
【００２１】
本発明において、前記コンテンツサーバは、前記クライアントから送られる情報（ユーザ名及びパスワード）に基づいてアクセス要求するクライアントが前記第１乃至第３のクライアントのいずれであるかを判別するようにしてもよい。
【００２２】
本発明の上記課題はまた、コンテンツ製作者が使用する第1のクライアントと、弁当製造販売業者が使用する第２のクライアントとを含む複数のクライアントとインターネットを介して接続され、且つ、弁当用パッケージ製造システムに接続されたコンピュータに、前記第１のクライアントがＷｅｂブラウザを利用してコンテンツをアップロードすることを可能にする機能、前記第１のクライアントからアップロードされた前記コンテンツを蓄積し管理する機能、前記第２のクライアントに対して前記データベース内の所望のコンテンツを選択させる機能、および、前記選択されたコンテンツのデータを前記弁当用パッケージ製造システムへ転送する機能を実行させるためのコンピュータプログラムによっても解決される。
【００２３】
本発明の上記課題はさらに、コンテンツをデータベース内に蓄積し管理するコンテンツサーバと、インターネットを介して前記コンテンツサーバに接続された複数のクライアントと、前記コンテンツサーバに接続された印刷装置と、弁当用蓋の原紙を加工して弁当用蓋を成型する成型装置とを備え、前記クライアントは、コンテンツ製作者が使用する第1のクライアントと、弁当製造販売業者が使用する第２のクライアントとを含み、前記コンテンツサーバは、少なくとも、前記第１のクライアントがコンテンツをアップロードすることを可能にする機能、前記第１のクライアントからアップロードされたコンテンツを蓄積し管理する機能、前記第２のクライアントに対して弁当用パッケージの種類及び数量を選択させる機能、前記第２のクライアントに対して前記データベース内の所望のコンテンツを選択させる機能、および、前記選択されたパッケージの種類及び数量のデータ及び前記選択されたコンテンツのデータを前記印刷装置へ転送する機能を備え、前記印刷装置は、前記コンテンツサーバから転送された前記コンテンツのデータを受信して弁当用蓋の原紙に印刷し、前記成型装置は、前記コンテンツが印刷された前記原紙を加工して弁当用蓋を成型することを特徴とする弁当用パッケージ製造システムによっても解決される。
【発明の効果】
【００２４】
本発明によれば、一般消費者に対して興味を引く興趣性に富んだ弁当を提供することができ、日々の弁当購入において継続的な購買意欲を起こさせることができるので、弁当製造販売業者にとっては、弁当の売り上げの増加、広告収入などを見込むことができる。特に、弁当製造販売業者はコンテンツサーバにいつでも直接アクセスして、コンテンツを自分の目で確かめて採用することができるので、コンテンツの印刷された弁当用パッケージを気軽に利用することができる。
【００２５】
また、本発明によれば、占い、連載漫画、企業広告など、一般消費者の興味を引くコンテンツが弁当用蓋に印刷されているので、一般消費者にとっては、日々の弁当購入に楽しみを見出すことができる。
【００２６】
さらに、本発明によれば、コンテンツ製作者に対して自身の作品を披露する場を提供することができ、これにより、サーバを介してコンテンツ製作者と弁当製造販売業者の間での著作権ビジネスの仲介を容易に実現することができる。
【００２７】
さらに、本発明によれば、コンテンツサーバがコンテンツ製作者と弁当製造販売業者との間の仲介を行うのみならず、そのコンテンツに対して投資してくれる個人又は企業もアクセス可能としているので、コンテンツによる収益があった場合にその収益の一部を投資家に対して還元（配当）することができる。また、コンテンツ製作者及び弁当製造販売業者は、担保や実績がないなどの諸事情により資金調達が困難な場合に、コンテンツを担保にして資金を調達することができる。
【発明を実施するための最良の形態】
【００２８】
以下、添付図面を参照しながら、本発明の好ましい実施の形態について詳細に説明する。
【００２９】
図１は、本発明の好ましい実施の形態に係るコンテンツ提供システム全体の構成を示す模式図である。
【００３０】
図１に示すように、このシステムは、コンテンツサーバ１０１と、インターネット１０８を介してコンテンツサーバ１０１に接続された複数のクライアント１０２と、コンテンツサーバに接続された弁当用パッケージ製造システム１０３とを備えている。これらのホスト（クライアント１０２およびサーバ１０１）には例えば通常のパーソナルコンピュータを使用することができ、ディスプレイなどの入力インターフェース、キーボード、マウスなどの出力インターフェースが含まれている。
【００３１】
クライアント１０２は３つのタイプに大別される。第1のクライアント１０２Ａはコンテンツ製作者（ここにいうコンテンツ製作者とは、自ら制作した者の他、その制作されたコンテンツを譲り受けて提供するものも含む）が使用するものであり、第２のクライアント１０２Ｂは弁当製造販売業者が使用するものであり、第３のクライアント１０２Ｃは、コンテンツビジネス並びに弁当ビジネスに投資する投資家が使用するものである。第１乃至第３のクライアント１０２Ａ乃至１０２Ｃを使用するユーザはコンテンツサーバ１０１へのアクセスに必要な「ユーザ名」及び「パスワード」を保持しており、コンテンツサーバ１０１はこのユーザ名及びパスワードに基づいてアクセス要求するクライアントがどのタイプのクライアントであるかを判別し、それぞれのクライアントに合ったサービスを提供する。第１乃至第３のクライアント１０２Ａ乃至１０２ＣにはＷｅｂブラウザがインストールされており、各クライアントはコンテンツサーバ１０１からのサービスをＷｅｂブラウザ経由で受けることになる。
【００３２】
図２は、コンテンツサーバ１０１の構成を概略的に示す機能ブロック図である。
【００３３】
図２に示すように、コンテンツサーバ１０１は、データベースサーバ１０１ａ、Ｗｅｂサーバ１０１ｂ、ＧＧＩ（Common Gate Interface）１０１ｃ等の機能を有している。データベースサーバ１０１ａは、コンテンツ製作者が使用する第１のクライアント１０２Ａからインターネット１０８経由でアップロードされたコンテンツを蓄積し管理する機能を提供する。なお、本明細書において「データベース」というときは、このデータベースサーバ１０１ａの機能をいうものとする。Ｗｅｂサーバ１０１ｂは、ＣＧＩ１０１ｃを利用して、コンテンツ製作者が使用する第１のクライアント１０２ＡからＷｅｂブラウザを利用してコンテンツをアップロードすることを可能にする機能、弁当製造販売業者が使用する第２のクライアント１０２Ｂからデータベース内の所望のコンテンツをダウンロードすることを可能にする機能、および第１乃至第３のクライアント１０２Ａ乃至１０２Ｃからデータベースサーバ１０１ａに蓄積されているコンテンツを閲覧することを可能にする機能を提供する。より具体的には、これらの機能は、Ｗｅｂサーバ１０１ｂがＣＧＩ１０１ｃを利用して動的にＷｅｂページの生成を行うことにより、各クライアントに対して後述する各種画面を提供する。なお、コンテンツサーバ１０１は通常一台のホストによって実現されるが、ＬＡＮ接続された複数台のホストで構成されていてもかまわない。
【００３４】
コンテンツサーバ１０１は弁当用パッケージ製造システム１０３内の印刷装置１０３Ａに接続されている。弁当用パッケージ製造システムは、コンテンツサーバ１０１から転送されてきたコンテンツデータを成型前の蓋材に印刷する印刷装置１０３Ａと、コンテンツが印刷された蓋材を加工して弁当用蓋を成型する成型装置１０３Ｂとで構成されている。本実施の形態においては、弁当用蓋の材料として紙材が用いられている。紙製の弁当用蓋であれば、コンテンツを直接印刷して、弁当のパッケージングにそのまま使用することができる。
【００３５】
このようにしてコンテンツの印刷１０５が施された弁当用蓋１０４ｘ及びこれと一対の弁当用容器１０４ｙ（以下、これら２つをまとめて「パッケージ」ということがある）は、弁当製造販売業者に納入され、弁当製造工程において弁当のパッケージングに使用される。弁当用蓋はパッケージング装置（図示せず）にセットされ、食材の詰め込まれた容器に被せられる。完成した弁当１０６は、弁当販売専門店、コンビニエンスストア、スーパーマーケット、デパートなどの販売店１０７に出荷され、コンテンツが印刷された弁当として販売される。
【００３６】
図３は、コンテンツサーバ１０１内のデータベースサーバ０１ａが管理するユーザテーブルを示す図である。
【００３７】
図３に示すように、このユーザテーブル３００には、管理番号である「ユーザＩＤ」３０１、ユーザによって決定された「ユーザ名」３０２及び「パスワード」３０３、第１乃至第３のクライアントのいずれかを示す「ユーザタイプ」３０４、ユーザの「氏名」３０５、「住所」３０６及び「電話番号」３０７などが登録される。コンテンツサーバ１０１は、自身にアクセスしようとするクライアントにユーザ名及びパスワードを要求し、入力されたデータとユーザテーブル内のデータとを照合してアクセスの許否及び提供すべきサービスの種類を判断する。
【００３８】
次に、コンテンツサーバ１０１へのコンテンツの登録について詳細に説明する。第１のクライアント１０２Ａがコンテンツサーバ１０１にアクセスしたとき、第１のクライアントのディスプレイには、まずログイン画面が表示される。
【００３９】
図４は、ログイン画面の一例を示す図である。
【００４０】
図４に示すように、このログイン画面４００では、ユーザ名及びパスワードの入力が要求される。対応するテキストボックス４０１，４０２内にデータを入力し、画面上の「ＯＫ」ボタン４０３をクリックすると、これらの入力データがコンテンツサーバ１０１へ送られる。なお、「キャンセル」ボタン４０４がクリックされた場合には周知のキャンセル処理が行われる（以下、「キャンセル」については同様）。コンテンツサーバ１０１は、上述のユーザテーブル３００を参照してアクセスの許否を判断し、アクセスを許可する場合には次の画面（コンテンツ登録画面）を表示させ、許否する場合にはその旨の画面を表示させる。
【００４１】
図５は、コンテンツ登録画面の一例を示す図である。
【００４２】
図５に示すように、このコンテンツ登録画面５００では、登録コンテンツの選択と、そのコンテンツの「カテゴリ」と、そのコンテンツに対する「コメント」の入力が要求される。ユーザであるコンテンツ製作者は、画面上にある「参照」ボタン５０１をクリックして、周知のファイル選択操作により第１のクライアント１０２Ａ内に保存されているコンテンツファイルを選択する。また、ユーザは画面上の排他的選択ボタンであるラジオボタン５０２をクリックして、コンテンツの「カテゴリ」をいずれか一つ選択する。カテゴリとしては種々のものが考えられるが、本実施の形態においては、「占い」、「漫画（マンガ）」、「広告」、「その他」を例示している。「占い」及び「漫画」は、弁当購入に楽しみを与え、弁当の継続的購入を喚起させるのに有効なコンテンツである。また「広告」は、弁当販売による実収入のほかに広告収入をもたらせてくれる。「コメント」は、コンテンツ製作者がコンテンツのよさをアピールするのに役立ち、テキストボックス５０３内に自由に入力することができる。「カテゴリ」の選択は必須であることが好ましく、「コメント」の入力は任意であることが好ましい。これら必要事項を入力し、画面上の「ＯＫ」ボタン５０４をクリックすると、登録事項の確認画面（図示せず）が表示された後、これらの入力データがコンテンツサーバ１０１へ送られる。転送されたデータは、コンテンツサーバ１０１内のデータベースに登録される。
【００４３】
図６は、コンテンツサーバ１０１内のデータベースサーバ０１ａが管理するコンテンツテーブルを示す図である。
【００４４】
図６に示すように、このコンテンツテーブル６００には、コンテンツの「管理番号」（例えば連番）６０１、「ユーザＩＤ」６０２、「コンテンツファイル名」６０３、コンテンツの「カテゴリ」６０４、コンテンツの「コメント」６０５、コンテンツの「登録年月日」６０６、「備考」６０７などが登録されている。「コンテンツファイル名」６０３は、コンテンツサーバ１０１内のコンテンツが保存されている場所を示すパスを含んでいる。「カテゴリ」６０４は番号で登録され、これらの番号は「占い」「漫画」「広告」「その他」のいずれかを示すものである。コメントは、テキストデータとしてコンテンツテーブル６００内に直接記述されていてもよく、コメントをテキストファイルとして保存し、コンテンツファイル名と同様にそのパスが記述されていてもよい。また、これらのデータのほか、「コンテンツの有効期限」など、必要に応じて種々のデータを登録してよい。
【００４５】
以上説明したように、本実施の形態においては、第１のクライアント１０２Ａからコンテンツサーバ１０１にアクセスして、コンテンツをいつでも自由に登録することができるので、コンテンツ製作者に対してコンテンツを発表する場を提供することができ、しかも非常に利便性の高いシステムを提供することができる。
【００４６】
次に、こうして登録されたコンテンツの利用について詳細に説明する。
【００４７】
まず、第２のクライアント１０２Ｂがコンテンツサーバ１０１にアクセスしたとき、第２のクライアント１０２Ｂのディスプレイには、図３と同様のログイン画面が最初に表示される。このログイン画面で「ユーザ名」及び「パスワード」を入力して、コンテンツサーバへのアクセスが許可された場合には、次の画面（パッケージ選択画面）が表示される。
【００４８】
図７は、パッケージ選択画面の一例を示す図である。
【００４９】
図７に示すように、このパッケージ選択画面７００では、各種パッケージのサムネイル７０１が表示され、パッケージの種類および数量の選択が要求される。パッケージのサムネイル７０１をクリックし、数量を設定するテキストボックス７０２に必要な数量を入力し、最後に「ＯＫ」ボタン７０３をクリックすることにより、そのパッケージが指定の数量だけ選択されたものとなり、次のコンテンツ選択画面に移動する。
【００５０】
図８は、コンテンツ選択画面の一例を示す図である。
図８に示すように、このコンテンツ選択画面８００では、コンテンツの画像のサムネイル８０１がカテゴリ別に表示され、弁当用蓋に印刷したいコンテンツの選択が要求される。コンテンツのサムネイルにはリンクが張られていて、いずれかをクリックすることによりそのコンテンツが選択されたものとなり、そのコンテンツの詳細が表示される。なお、「次」ボタンをクリックした場合には、一画面に表示しきれなかった他のコンテンツを見ることができる。
【００５１】
図９は、コンテンツ詳細画面の一例を示す図である。
【００５２】
図９に示すように、このコンテンツ詳細画面９００では、選択されたコンテンツの詳細な画像（コンテンツ拡大図）９０１と、コンテンツのカテゴリ９０２と、コンテンツのコメント９０３が表示される。この画面でコンテンツを確認し、このコンテンツを弁当用蓋に印刷してもよい場合には、画面上の「決定」ボタン９０４を押すことにより、指定された種類及び数量のパッケージの注文ならびに弁当用蓋への印刷の注文が決定される。
【００５３】
印刷の注文が決定されると、コンテンツデータは印刷装置１０３Ａへ転送される。印刷装置１０３Ａは、コンテンツサーバ１０１からのコンテンツデータを弁当用蓋の主面に印刷する。上述したように、本実施の形態においては紙製の弁当用蓋が用いられ、印刷時には一枚のシート状の撥水性原紙であるが、印刷後に成型装置１０３Ｂによって所定の形状に打ち抜かれ、プレス加工されることにより、立体的な蓋の形状に成型加工される。原紙としては、例えば、低密度ポリエチレンを含有量：３〜６％の範囲となるように少なくとも片面に塗布された原紙を用いることが好ましい。このような原紙であれば、印刷が容易であり、プレス加工で安価に製造でき、成型形状を保持する機能にも優れている。さらには、低密度ポリエチレンの含有量が３〜６％と低く、低密度ポリエチレンが「塗布」されたものであってフィルム状の樹脂を張り合わせたものではなく、質感上プラスチックではないから、生ごみとしての処理が可能である。
【００５４】
その後、コンテンツの印刷が施された弁当用蓋は、これと一対の弁当用容器とともに、弁当販売専門店又は弁当製造販売業者に納入される。弁当販売専門店又は弁当製造販売業者は、このパッケージを使用してごはんやおかずなどの食材をパッケージングする。弁当用蓋はパッケージング装置にセットされ、容器内に食材を詰め込む工程を経た後、食材の詰め込まれた容器に被せられる。完成した弁当は、弁当販売専門店からは、一般消費者に直接販売され、弁当製造販売業者にからは、コンビニエンスストア、スーパーマーケット、デパートなどに出荷され、コンテンツが印刷された弁当として販売される。
【００５５】
次に、こうして登録されたコンテンツへの投資について詳細に説明する。
【００５６】
まず、第３のクライアントがコンテンツサーバにアクセスしたときには、図３とほぼ同様のログイン画面が最初に表示される。このログイン画面で「ユーザ名」及び「パスワード」を入力して、コンテンツサーバへのアクセスが許可された場合には、次に図８とほぼ同様のコンテンツ選択画面が表示される。このコンテンツ選択画面では、コンテンツの画像のサムネイルがカテゴリ別に表示され、投資したいコンテンツの選択が要求される。サムネイルのいずれかをクリックすることによりそのコンテンツが選択されたものとなり、図９とほぼ同様のコンテンツの詳細画面が表示される。この画面で内容を確認し、このコンテンツに投資してもよい場合には、画面上の「決定」ボタンを押すことにより、コンテンツへの投資が決定される。その後、決済画面（図示せず）において投資額の決定および決済手続が行われる。
【００５７】
このようにしてコンテンツに投資を行った投資家は、そのコンテンツが弁当用蓋の印刷に施され、その結果、弁当の売り上げが大きく伸びた場合に、その売り上げの一部を配当として受け取ることができる。
【００５８】
以上説明したように、本実施の形態によれば、一般消費者に対して興味を引く興趣性に富んだ弁当を提供することができ、日々の弁当購入において継続的な購買意欲を起こさせることができるので、弁当販売専門店、弁当製造販売業者にとっては、弁当の売り上げの増加、広告収入などを見込むことができる。特に、弁当販売専門店、弁当製造販売業者はコンテンツサーバにいつでも直接アクセスして、コンテンツを自分の目で確かめて採用することができるので、コンテンツの印刷された弁当用パッケージを気軽に利用することができる。
【００５９】
また、本実施の形態によれば、占い、連載漫画、企業広告など、一般消費者の興味を引くコンテンツが弁当用蓋に印刷されているので、一般消費者にとっては、日々の弁当購入に楽しみを見出すことができる。
【００６０】
さらに、本実施の形態によれば、コンテンツ製作者に対して自身の作品を披露する場を提供することができ、これにより、サーバを介してコンテンツ製作者と弁当製造販売業者の間での著作権ビジネスの仲介を容易に実現することができる。
【００６１】
さらに、本実施の形態によれば、コンテンツサーバがコンテンツ製作者と弁当製造販売業者との間の仲介を行うのみならず、そのコンテンツに対して投資してくれる個人又は企業もアクセス可能としているので、コンテンツによる収益があった場合にその収益の一部を投資家に対して還元（配当）することができる。また、コンテンツ製作者及び弁当製造販売業者は、担保や実績がないなどの諸事情により資金調達が困難な場合に、コンテンツを担保にして資金を調達することができる。
【００６２】
本発明は、以上の実施の形態に限定されることなく、特許請求の範囲に記載された発明の範囲内で種々の変更を加えることが可能であり、これらも本発明の範囲に包含されるものであることはいうまでもない。
【００６３】
例えば、上記実施の形態においては、低密度ポリエチレンを含有量：３〜６％の範囲となるように少なくとも片面に塗布された原紙を加工して成型された弁当用蓋を用いた場合について説明したが、本発明はこれに限定されるものではなく、どのような紙製の弁当用蓋であってもかまわない。紙製であれば、印刷装置を用いてコンテンツを直接印刷することができる。なお、ここでいう紙製の蓋は、紙の成分が５０％以上含有されている蓋として定義される。
【００６４】
また、上記実施の形態においては、弁当用蓋に紙製のものを使用してこれにコンテンツデータを直接印刷しているが、コンテンツをシールに一度印刷した後、シールを蓋に貼り付けるなどして間接的に印刷してもよい。例えば、コンテンツを直接印刷することが可能な紙製パッケージではなく、印刷の困難なプラスチック製パッケージを使用しているような場合でも、シールであればプラスチック製パッケージに貼り付けることができるため、本発明の利用の幅を広げることができる。
【００６５】
また、上記実施の形態においては、コンテンツとして、「占い」、「漫画」、「広告」の３つを例示しているが、これらのほかにも種々のコンテンツを使用することができる。コンテンツは、弁当の種類や販売地域にあわせて選択することができ、全国共通のコンテンツのみならず、地域性の強いコンテンツの使用も可能である。
【００６６】
また、上記実施の形態においては、「占い」、「漫画」、「広告」等のコンテンツそのものをパッケージに印刷し、また、シールに印刷したものをパッケージに貼り付ける例について説明したが、コンテンツにアクセスするＷｅｂアドレスのバーコードをパッケージに印刷し、また、シールに印刷したものをパッケージに貼り付けるようにしてもよい。こうすることにより、消費者は、バーコードを携帯電話等の端末で読み取り、Ｗｅｂにアクセスすることにより、コンテンツにアクセスすることができ、より容量の大きなコンテンツを容易に提供することができる。
【００６７】
また、上記実施の形態においては、第１のクライアントがＷｅｂブラウザ経由でコンテンツをアップロードする場合について説明したが、コンテンツをＦＴＰによりアップロードさせても構わない。
【００６８】
また、上記実施の形態においては、占い、漫画、広告などのコンテンツを弁当用パッケージ（弁当用蓋）に印刷する場合について説明したが、本発明はこれに限定されるものではなく、例えば、ＩＣチップ・ＩＣカードなど、種々の媒体を対象にすることができる。その場合、本実施形態の弁当用パッケージ製造システムに代えて、占いその他のコンテンツを含む媒体を製造する製造システムを使用することにより本発明が実現される。
【産業上の利用可能性】
【００６９】
本発明のコンテンツ提供システムによれば、一般消費者に対して興味を引く興趣性に富んだ弁当を提供することができ、日々の弁当購入において継続的な購買意欲を起こさせることができるので、弁当製造販売業者にとっては、弁当の売り上げの増加、広告収入などを見込むことができる。特に、弁当製造販売業者はコンテンツサーバにいつでも直接アクセスして、コンテンツを自分の目で確かめて採用することができるので、コンテンツの印刷された弁当用パッケージを気軽に利用することができる。
【００７０】
また、本発明によれば、占い、連載漫画、企業広告など、一般消費者の興味を引くコンテンツが弁当用蓋に印刷されているので、一般消費者にとっては、日々の弁当購入に楽しみを見出すことができる。
【００７１】
さらに、本発明によれば、コンテンツ製作者に対して自身の作品を披露する場を提供することができ、これにより、サーバを介してコンテンツ製作者と弁当製造販売業者の間での著作権ビジネスの仲介を容易に実現することができる。
【００７２】
さらに、本発明によれば、コンテンツサーバがコンテンツ製作者と弁当製造販売業者との間の仲介を行うのみならず、そのコンテンツに対して投資してくれる個人又は企業もアクセス可能としているので、コンテンツによる収益があった場合にその収益の一部を投資家に対して還元（配当）することができる。また、コンテンツ製作者及び弁当製造販売業者は、担保や実績がないなどの諸事情により資金調達が困難な場合に、コンテンツを担保にして資金を調達することができる。
【００７３】
このように、本発明のコンテンツ提供システムは、お弁当製造販売業をはじめ、著作権産業、投資産業、その他コンテンツを提供する種々の業種間におけるビジネスに用いることによって、優れた効果を発揮する。
【図面の簡単な説明】
【００７４】
【図１】本発明の実施の形態に係るコンテンツ提供システム全体の構成を示す模式図である。
【図２】コンテンツサーバ１０１の構成を概略的に示す機能ブロック図である。
【図３】コンテンツサーバ１０１内のデータベースサーバ０１ａが管理するユーザテーブルを示す図である。
【図４】ログイン画面の一例を示す図である。
【図５】コンテンツ登録画面の一例を示す図である。
【図６】コンテンツサーバ１０１内のデータベースサーバ０１ａが管理するコンテンツテーブルを示す図である。
【図７】パッケージ選択画面の一例を示す図である。
【図８】コンテンツ選択画面の一例を示す図である。
【図９】コンテンツ詳細画面の一例を示す図である。
【符号の説明】
【００７５】
１０１      コンテンツサーバ
１０１ａ      データベースサーバ
１０１ｂ      Ｗｅｂサーバ
１０１ｃ      ＣＧＩ
１０２Ａ      第１のクライアント
１０２Ｂ      第２のクライアント
１０２Ｃ      第３のクライアント
１０３      弁当用パッケージ製造システム
１０３Ａ      印刷装置
１０３Ｂ      成型装置
１０４ｘ      弁当用蓋
１０４ｙ      弁当用容器
１０５      コンテンツの印刷
１０６      弁当
３００      ユーザテーブル
３０１      ユーザＩＤ
３０２      ユーザ名
３０３      パスワード
３０４      ユーザタイプ
３０５      氏名
３０６      住所
３０７      電話番号
４００      ログイン画面
４０１      ユーザ名入力用テキストボックス
４０２      パスワード入力用テキストボックス
４０３      ＯＫボタン
４０４      キャンセルボタン
５００      コンテンツ登録画面
５０２      ラジオボタン
５０３      コメント入力用テキストボックス
５０４      ＯＫボタン
６００      コンテンツテーブル
６０１      管理番号
６０２      ユーザＩＤ
６０３      コンテンツファイル名
６０４      カテゴリ
６０５      コメント
６０６      登録日
６０７      備考欄
７００      パッケージ選択画面
７０１      パッケージのサムネイル
７０２      数力入力用テキストボックス
７０３      ＯＫボタン
８００      コンテンツ選択画面
８０１      コンテンツのサムネイル
８０２      次ボタン
９００      コンテンツ詳細画面
９０１      コンテンツの詳細な画像
９０２      コンテンツのカテゴリ表示
９０３      コメント表示
【図１】
2006139711.tif 000003
【図２】
2006139711.tif 000004
【図３】
2006139711.tif 000005
【図４】
2006139711.tif 000006
【図５】
2006139711.tif 000007
【図６】
2006139711.tif 000008
【図７】
2006139711.tif 000009
【図８】
2006139711.tif 000010
【図９】
2006139711.tif 000011